(57)【要約】【課題】伝送路の特性に適したタップ数を決定する。【解決手段】適応等化器は、入力受信信号１を等化するフィルタリング回路１００と、入力受信信号１に含まれる受信パイロット信号５を検出するパイロット信号検出回路１０４と、受信パイロット信号５とこのパイロット信号の既知の信号パターンとの誤差を計算し、この誤差に基づいてフィルタリング回路１００のタップ係数を計算する係数更新回路１０２と、係数更新回路１０２で計算された誤差が所定の上限閾値より大きい場合はフィルタリング回路１００のタップ数を増加させ、誤差が所定の下限閾値より小さい場合はタップ数を減少させる係数制御回路１０３とを備える。【選択図】  図１
2010118817.tif 000002
【特許請求の範囲】
【請求項１】
入力信号を等化するトランスバーサルフィルタリング手段と、
前記入力信号に含まれるパイロット信号を検出するパイロット信号検出手段と、
前記パイロット信号とこのパイロット信号の既知の信号パターンとの誤差を計算し、この誤差に基づいて前記トランスバーサルフィルタリング手段のタップ係数を計算する係数更新手段と、
前記誤差が所定の上限閾値より大きい場合は前記トランスバーサルフィルタリング手段のタップ数を増加させ、前記誤差が所定の下限閾値より小さい場合は前記タップ数を減少させる係数制御手段とを備えることを特徴とする適応等化器。
【請求項２】
請求項１記載の適応等化器において、
前記係数更新手段は、予め定められた頻度で前記タップ係数の更新を行い、更新時に前記係数制御手段が決定したタップ数に応じて、前記等化に使用するタップについては前記タップ係数を計算し、使用しないタップについては前記タップ係数を０とすることを特徴とする適応等化器。
【請求項３】
請求項２記載の適応等化器において、
前記係数更新手段は、前記係数制御手段が決定したタップ数に応じて、適応等化器の遅延時間が最小になる位置にセンタータップを設定することを特徴とする適応等化器。
【請求項４】
請求項３記載の適応等化器において、
前記係数更新手段は、前記タップ数の最大値がｎ（ｎは２以上の整数）で、前記係数制御手段からタップ数＝ｐ（ｐは１以上ｎ以下の整数）の指定を受けたとき、ｍ（ｍは（ｐ＋１）／２以上の整数のうち最小の整数）番目のタップ係数をセンタータップとし、１番目からｐ番目までのタップ係数のみ等化に使用し、（ｐ＋１）番目からｎ番目までのタップ係数を０とすることを特徴とする適応等化器。
【請求項５】
請求項１記載の適応等化器において、
前記トランスバーサルフィルタリング手段は、
前記入力信号を遅らせる直列接続されたｎ（ｎは２以上の整数）個の遅延素子と、
各遅延素子の出力信号とこれに対応するタップ係数とを乗算するｎ個の乗算器と、
各乗算器の出力信号を合成する加算器とからなることを特徴とする適応等化器。
【請求項６】
請求項１記載の適応等化器において、
前記係数更新手段は、前記誤差の２乗値が最小となるように前記タップ係数を計算することを特徴とする適応等化器。
【請求項７】
入力信号に含まれるパイロット信号を検出するパイロット信号検出手順と、
前記パイロット信号とこのパイロット信号の既知の信号パターンとの誤差を計算し、前記入力信号を等化するトランスバーサルフィルタリング手段のタップ係数を前記誤差に基づいて計算する係数更新手順と、
前記誤差が所定の上限閾値より大きい場合は前記トランスバーサルフィルタリング手段のタップ数を増加させ、前記誤差が所定の下限閾値より小さい場合は前記タップ数を減少させる係数制御手順とを備えることを特徴とする適応等化器のタップ係数制御方法。
【請求項８】
請求項７記載の適応等化器のタップ係数制御方法において、
前記係数更新手順は、予め定められた頻度で前記タップ係数の更新を行い、更新時に前記係数制御手順で決定されたタップ数に応じて、前記等化に使用するタップについては前記タップ係数を計算し、使用しないタップについては前記タップ係数を０とすることを特徴とする適応等化器のタップ係数制御方法。
【請求項９】
請求項８記載の適応等化器のタップ係数制御方法において、
前記係数更新手順は、前記係数制御手順が決定したタップ数に応じて、適応等化器の遅延時間が最小になる位置にセンタータップを設定することを特徴とする適応等化器のタップ係数制御方法。
【請求項１０】
請求項９記載の適応等化器のタップ係数制御方法において、
前記係数更新手順は、前記タップ数の最大値がｎ（ｎは２以上の整数）で、前記係数制御手順でタップ数＝ｐ（ｐは１以上ｎ以下の整数）と決定されたとき、ｍ（ｍは（ｐ＋１）／２以上の整数のうち最小の整数）番目のタップ係数をセンタータップとし、１番目からｐ番目までのタップ係数のみ等化に使用し、（ｐ＋１）番目からｎ番目までのタップ係数を０とすることを特徴とする適応等化器のタップ係数制御方法。
【請求項１１】
請求項７記載の適応等化器のタップ係数制御方法において、
前記係数更新手順は、前記誤差の２乗値が最小となるように前記タップ係数を計算することを特徴とする適応等化器のタップ係数制御方法。
【発明の詳細な説明】
【技術分野】
【０００１】
本発明は、無線通信システムに係り、特に受信信号を等化するトランスバーサル型の適応等化器および適応等化器のタップ係数制御方法に関するものである。
【背景技術】
【０００２】
等化器は、無線通信システムにおいて伝送路上で発生した歪みを補償するために使用される信号処理回路である。図１は本発明の第１の実施の形態に係る適応等化器の構成を示すブロック図であるが、この図１を用いて、等化器のフィルタリング回路について説明する。フィルタリング回路１００は、受信装置の受信回路（不図示）が受信した入力受信信号１を遅延素子１０１−１，１０１−２，・・・，１０１−ｋ，・・・，１０１−ｎによりＴ時間ずつ遅らせた受信信号１−１，１−２，・・・，１−ｋ，・・・，１−ｎとタップ係数２−１，２−２，・・・，２−ｋ，・・・，２−ｎとを乗算器１０５−１，１０５−２，・・・，１０５−ｋ，・・・，１０５−ｎで乗算し、この乗算によって得られた乗算受信信号３−１，３−２，・・・３−ｋ，・・・，３−ｎを加算器１０６で合成することにより等化処理を行う。こうして、フィルタリング回路１００は、マルチパスによって発生する信号の歪みを除去して通信システムの性能を向上させる。
【０００３】
フィルタリング回路１００のタップ係数２−１〜２−ｎは、パイロット信号の誤差値と受信パイロット信号５の相関をとることにより求められる。パイロット信号の誤差値は、入力受信信号１に含まれる受信パイロット信号５とこのパイロット信号の正しい信号パターンとの差である。タップ係数２−１〜２−ｎの具体的な決定方法としては、ＺＦ（Zero Forcing）法やＭＭＳＥ（Minimum Mean Square Errors）法等の自動制御アルゴリズムが知られている。この自動制御アルゴリズムにより、伝送路の特性に応じて最適なタップ係数を求めることができる。
【０００４】
最適なタップ係数となるように自動的に制御する適応等化器については、例えば特許文献１に開示されている。しかし、特許文献１に開示された等化器では、受信入力信号の状態に関係なくフィルタリング回路のタップ数が一定であるため、伝送路の特性が良好な場合に不必要なタップまで等化に使用することになり、消費電力が増大するという問題点があった。
一方、特許文献２には、伝送路の遅延広がりを推定し、推定した遅延広がりに適したタップ係数制御を行う適応等化器が開示されている。
【０００５】
【特許文献１】特開２００６−１１５２６１号公報
【特許文献２】特開２００７−２０１７２９号公報
【発明の開示】
【発明が解決しようとする課題】
【０００６】
以上のように、特許文献１に開示された適応等化器では、フェージング等信号劣化要因が小さく無線伝搬特性が良好な場合に、不必要なタップまで等化に使用することになり、消費電力が増大するという問題点があった。
また、特許文献２に開示された適応等化器によれば、伝送路の遅延広がりに適したタップ数に設定できるとしている。しかしながら、特許文献２に開示された適応等化器では、伝送路の遅延広がりを推定し、推定した遅延広がりに適したタップ数を選択する技術について具体的な解決手段が明示されていない。したがって、タップ数を可変制御したとしても、選択したタップ数が伝送路の特性に適合しない可能性があった。
【０００７】
本発明は、上記課題を解決するためになされたもので、伝送路の特性に適したタップ数を決定することができる適応等化器およびタップ係数制御方法を提供することを目的とする。
【課題を解決するための手段】
【０００８】
本発明の適応等化器は、入力信号を等化するトランスバーサルフィルタリング手段と、前記入力信号に含まれるパイロット信号を検出するパイロット信号検出手段と、前記パイロット信号とこのパイロット信号の既知の信号パターンとの誤差を計算し、この誤差に基づいて前記トランスバーサルフィルタリング手段のタップ係数を計算する係数更新手段と、前記誤差が所定の上限閾値より大きい場合は前記トランスバーサルフィルタリング手段のタップ数を増加させ、前記誤差が所定の下限閾値より小さい場合は前記タップ数を減少させる係数制御手段とを備えることを特徴とするものである。
【０００９】
また、本発明の適応等化器のタップ係数制御方法は、入力信号に含まれるパイロット信号を検出するパイロット信号検出手順と、前記パイロット信号とこのパイロット信号の既知の信号パターンとの誤差を計算し、前記入力信号を等化するトランスバーサルフィルタリング手段のタップ係数を前記誤差に基づいて計算する係数更新手順と、前記誤差が所定の上限閾値より大きい場合は前記トランスバーサルフィルタリング手段のタップ数を増加させ、前記誤差が所定の下限閾値より小さい場合は前記タップ数を減少させる係数制御手順とを備えることを特徴とするものである。
【発明の効果】
【００１０】
本発明によれば、係数更新手段で計算される誤差が所定の上限閾値より大きい場合はトランスバーサルフィルタリング手段のタップ数を増加させ、誤差が所定の下限閾値より小さい場合はタップ数を減少させる。したがって、上限閾値と下限閾値を、使用する無線通信装置や通信環境に応じて予め設定しておけば、伝送路の特性に適したタップ数を決定することができる。その結果、本発明においては、以下のような効果を奏する。１つの効果は、無線伝搬特性が良好な場合、適応等化器を搭載する無線通信装置の消費電力を低減できることである。無線伝搬特性が良好な場合には、等化器のタップ数を削減しても受信品質を所望のレベルに維持することができるので、本発明による制御により、使用するタップ数を削減した分だけ無線通信装置の消費電力を低減することができる。もう１つの効果は、無線伝搬特性が劣化した場合に受信品質を改善できることである。フェージング等により無線伝搬特性が劣化することで等化精度が悪くなった場合には、本発明の制御方法によりタップ数を増加させることで等化精度および受信品質を改善することができる。
【発明を実施するための最良の形態】
【００１１】
［第１の実施の形態］
以下、本発明の実施の形態について図面を参照して説明する。本実施の形態は、トランスバーサル型適応等化器において、無線伝搬特性が良好な場合に等化に使用するタップ数を減少させることで、無線通信装置の消費電力を低減できることを特徴としている。図１は本発明の第１の実施の形態に係る適応等化器の構成を示すブロック図である。
【００１２】
本実施の形態の適応等化器は、フィルタリング回路１００と、係数更新回路１０２と、係数制御回路１０３と、パイロット信号検出回路１０４とを備えている。
フィルタリング回路１００は、ｎ個の遅延素子１０１−１，１０１−２，・・・，１０１−ｋ，・・・，１０１−ｎと、ｎ個の乗算器１０５−１，１０５−２，・・・，１０５−ｋ，・・・，１０５−ｎと、加算器１０６とから構成される。
【００１３】
フィルタリング回路１００は、入力受信信号１を遅延素子１０１−１，１０１−２，・・・，１０１−ｋ，・・・，１０１−ｎによりＴ時間ずつ遅らせた受信信号１−１，１−２，・・・，１−ｋ，・・・，１−ｎとタップ係数２−１，２−２，・・・，２−ｋ，・・・，２−ｎとを乗算器１０５−１，１０５−２，・・・，１０５−ｋ，・・・，１０５−ｎで乗算し、この乗算によって得られた乗算受信信号３−１，３−２，・・・，３−ｋ，・・・，３−ｎを加算器１０６で合成することにより等化処理を行い、等化出力信号４を出力する。一般的に、Ｔはシンボル時間間隔であるが、遅延素子１０１−１，１０１−２，・・・，１０１−ｋ，・・・，１０１−ｎの遅延時間をＴ／２にすることも可能である。
【００１４】
パイロット信号検出回路１０４は、適応等化器に入力される受信入力信号１を受信し、後述するフレーム同期回路から入力されるパイロット信号検出情報２０に基づいて、受信入力信号１に含まれる受信パイロット信号５を検出する。この受信パイロット信号５の正しい信号パターンは、適応等化器を搭載する無線通信装置において既知である。
【００１５】
係数更新回路１０２は、パイロット信号検出回路１０４から受信パイロット信号５を受信し、適応等化器のｎ個のタップ係数２−１，２−２，・・・，２−ｋ，・・・，２−ｎの値を求める。ここで、２−ｋはセンターのタップ係数を表す。各々のタップ係数は、パイロット信号の誤差値と受信パイロット信号５との相関をとることにより求められる。パイロット信号の誤差値は、受信パイロット信号５と受信装置側で既知であるパイロット信号の正しい信号パターンとの差である。
【００１６】
具体的には、係数更新回路１０２は、受信パイロット信号５とこのパイロット信号５の正しい信号パターンとの誤差を計算し、この誤差の２乗値が最小となるように等化器のタップ係数２−１，２−２，・・・，２−ｋ，・・・，２−ｎを計算する。このタップ係数２−１，２−２，・・・，２−ｋ，・・・，２−ｎの計算方法は、ＭＭＳＥ法に基づくものである。そして、係数更新回路１０２は、計算したタップ係数２−１，２−２，・・・，２−ｋ，・・・，２−ｎをそれぞれ乗算器１０５−１，１０５−２，・・・，１０５−ｋ，・・・，１０５−ｎに送出する。また、係数更新回路１０２は、前記の誤差の２乗値を示す誤差信号６を係数制御回路１０３に送出する。
【００１７】
係数制御回路１０３は、係数更新回路１０２から入力される誤差信号６と所定のタップ数切り替え閾値δ，δ’との比較を行い、等化に使用するタップ数を制御する。タップ数切り替え閾値δ，δ’は、等化に使用するタップ数の増加または減少を決定するための閾値である。係数制御回路１０３は、誤差信号６が示す誤差の２乗値が下限閾値δ’より小さい場合、無線伝搬特性が良好と判断してタップ数を減少させ、誤差信号６が示す誤差の２乗値が上限閾値δ（δ＞δ’）より大きい場合、フェージングによる信号劣化が大きく等化精度が悪くなったと判断してタップ数を増加させる。ここで、閾値δ，δ’は使用する無線通信装置や通信環境に応じて予め決定される。
【００１８】
係数制御回路１０３は、誤差信号６とタップ数切り替え閾値δ，δ’との比較結果に基づいてタップ数を決定すると、このタップ数を指定するタップ数指定信号７を係数更新回路１０２に送出する。
係数更新回路１０２は、タップ数指定信号７に従ってタップ数を切り替える。係数更新回路１０２は、係数制御回路１０３が等化に使用すると判断したタップについては前述のようにタップ係数を計算し、使用しないと判断したタップについてはタップ係数を０とする。本実施の形態では、物理的なタップ数はｎ個に固定されており、係数制御回路１０３がタップ数減少と判断した場合に、使用しないタップ係数を０にする。未使用のタップ係数を０とすることで、フィルタリング回路１００の演算量を減少させることができるので、無線通信装置の消費電力を削減することができる。
【００１９】
図２は無線通信装置の受信装置側における適応等化器からフレーム同期回路までの構成を示すブロック図である。図２を用いて、波形等化からフレーム同期までの信号処理の構成を説明する。
適応等化器２０１は、図１の構成を持つ等化器であり、受信入力信号１に対して等化処理を行い、等化出力信号４をデマッピング回路２０２に送出する。
【００２０】
デマッピング回路２０２は、等化出力信号４をディジタルデータに変換するデマッピング処理を行い、デマッピング信号２０２４をフレーム同期回路２０３に送出する。
フレーム同期回路２０３は、デマッピング信号２０２４に対してフレーム同期検出処理を行い、受信ディジタルデータ信号２０３４を出力する。また、フレーム同期回路２０３は、フレーム同期検出処理によって特定したパイロット信号の位置を示すパイロット信号検出情報２０を適応等化器２０１へ出力する。
【００２１】
次に、図１、図２に示した適応等化器２０１の動作について説明する。適応等化器２０１のフィルタリング回路１００は、送信側の無線通信装置から送信され受信装置の受信回路（不図示）が受信した入力受信信号１を遅延素子１０１−１，１０１−２，・・・，１０１−ｋ，・・・，１０１−ｎによりＴ時間ずつ遅らせた受信信号１−１，１−２，・・・，１−ｋ，・・・，１−ｎと係数更新回路１０２で計算されたタップ係数２−１，２−２，・・・，２−ｋ，・・・，２−ｎとを乗算器１０５−１，１０５−２，・・・，１０５−ｋ，・・・，１０５−ｎで乗算し、この乗算によって得られた乗算受信信号３−１，３−２，・・・，３−ｋ，・・・，３−ｎを加算器１０６で合成することにより等化処理を行い、等化出力信号４を出力する。Ｔはシンボル時間間隔であるが、遅延素子１０１−１，１０１−２，・・・，１０１−ｋ，・・・，１０１−ｎの遅延時間をＴ／２にすることも可能である。等化器は、前記等化処理を行うことで、無線伝送路フェージング等に起因する信号の歪みを除去することができる。
【００２２】
係数更新回路１０２は、受信パイロット信号５とこのパイロット信号の正しい信号パターンとの誤差を計算する。そして、係数更新回路１０２は、計算した誤差と受信パイロット信号５との相関値を計算し、誤差の２乗値が最小となるように等化器のタップ係数２−１，２−２，・・・，２−ｋ，・・・，２−ｎを計算する。係数更新回路１０２は、タップ係数２−１，２−２，・・・，２−ｎをそれぞれ乗算器１０５−１，１０５−２，・・・、１０５−ｎに送出する。また、係数更新回路１０２は、、受信パイロット信号５の誤差の２乗値を示す誤差信号６を係数制御回路１０３に送出する。
【００２３】
受信パイロット信号５の検出は次のように行う。等化出力信号４は、適応等化器２０１から出力された後、デマッピング回路２０２を経て、フレーム同期回路２０３でフレーム同期処理される。このフレーム同期処理の際に、フレーム同期回路２０３は、受信パイロット信号５の位置を検出し、パイロット信号検出情報２０を適応等化器２０１のパイロット信号検出回路１０４にフィードバックする。
【００２４】
パイロット信号検出回路１０４は、パイロット信号検出情報２０に基づいて受信入力信号１に含まれる受信パイロット信号５を検出し、検出した受信パイロット信号５を係数更新回路１０２に送出する。本実施の形態では、１フレームに１つのパイロット信号列が挿入されているフレーム構成を想定しており、係数更新回路１０２は、１フレームごとに１回タップ係数の更新を行う。なお、フレーム構成やタップ係数更新の頻度は、無線通信装置や通信環境に応じて任意に設定できる。
【００２５】
次に、係数制御回路１０３の動作について、図３を用いて説明する。無線通信装置の電源投入直後（図３のステップ３０１）、係数制御回路１０３は、タップ数をｒに初期設定する（ステップ３０２）。ここで、ｒは１＜ｒ＜ｎの範囲で任意に決定できる。係数更新回路１０２にてタップ係数を求める際も、電源投入後初回のタップ数はｒとする。
【００２６】
次に、係数制御回路１０３は、係数更新回路１０２が送出した誤差信号６を受信する（ステップ３０３）。係数制御回路１０３は、誤差信号６が示す誤差の２乗値が下限閾値δ’以上かつ上限閾値δ以下の場合（ステップ３０４において判定Ｙｅｓ、ステップ３０５において判定Ｎｏ）、タップ数切り替えなしと判断し、等化に使用するタップ数が前回と同じ値になるようにタップ数指定信号７を係数更新回路１０２に送信する（ステップ３１２）。ここで、上限閾値δはタップ数増加と判定する閾値、下限閾値δ’はタップ数減少と判定する閾値である。閾値δ，δ’は使用する無線通信装置や通信環境に応じて予め決定される。
【００２７】
係数制御回路１０３は、誤差信号６が示す誤差の２乗値が上限閾値δより大きい場合（ステップ３０４において判定Ｎｏ）、タップ数を１個増加させる。このとき、係数制御回路１０３は、タップ数増加によりタップ数が上限値であるｎ個以上となってしまうかどうかを判定し（ステップ３０６）、タップ数を１個増加させたとしてもタップ数がｎ個以上にならない場合はタップ数を１個増加させ（ステップ３０８）、タップ数増加によりタップ数がｎ個以上になってしまう場合はタップ数をｎ個とする（ステップ３０９）。そして、係数制御回路１０３は、決定したタップ数を示すタップ数指定信号７を係数更新回路１０２に送信する（ステップ３１２）。
【００２８】
係数制御回路１０３は、誤差信号６が示す誤差の２乗値が下限閾値δ’より小さい場合（ステップ３０５において判定Ｙｅｓ）、タップ数を１個減少させる。このとき、係数制御回路１０３は、タップ数減少によりタップ数が下限値である１個以下となってしまうかどうかを判定し（ステップ３０７）、タップ数を１個減少させたとしてもタップ数が１個以下にならない場合はタップ数を１個減少させ（ステップ３１０）、タップ数減少によりタップ数が１個以下になってしまう場合はタップ数を１個とする（ステップ３１１）。そして、係数制御回路１０３は、決定したタップ数を示すタップ数指定信号７を係数更新回路１０２に送信する（ステップ３１２）。
【００２９】
係数更新回路１０２は、係数制御回路１０３が等化に使用すると判断したタップについては前述のようにタップ係数を計算し、使用しないと判断したタップについてはタップ係数を０とする。タップ数指定信号７がタップ数の１個増加を指定している場合には、係数を計算するタップ数が１個増えることになり、タップ数指定信号７がタップ数の１個減少を指定している場合には、係数を０にするタップ数が１個増えることになる。
なお、本実施の形態では、タップ数の増減量を±１としているが、使用する無線通信装置や通信環境に応じて、タップ数の増減量を別の値に設定してもよい。
【００３０】
以上説明したように、本実施の形態では、誤差信号６が示す誤差の２乗値が上限閾値δより大きい場合はタップ数を増加させ、誤差信号６が示す誤差の２乗値が下限閾値δ’より小さい場合はタップ数を減少させることにより、伝送路の特性に適したタップ数を決定することができる。
【００３１】
その結果、本実施の形態においては、以下のような効果を奏する。１つの効果は、無線伝搬特性が良好な場合、適応等化器を搭載する無線通信装置の消費電力を低減できることである。無線伝搬特性が良好な場合には、等化器のタップ数を削減しても受信品質を所望のレベルに維持することができるので、本実施の形態による制御により、使用するタップ数を削減した分だけ無線通信装置の消費電力を低減することができる。もう１つの効果は、無線伝搬特性が劣化した場合に受信品質を改善できることである。フェージング等により無線伝搬特性が劣化することで等化精度が悪くなった場合には、本実施の形態の制御方法によりタップ数を増加させることで等化精度および受信品質を改善することができる。
【００３２】
［第２の実施の形態］
次に、本発明の第２の実施の形態について説明する。本実施の形態においても、適応等化器の構成は第１の実施の形態と同様であるので、図１の符号を用いて説明する。本実施の形態では、図１の適応等化器において、係数制御回路１０３がタップ数減少と判断した場合に、センタータップを適応等化器の遅延時間が最小になる位置へ移動させる。
【００３３】
係数更新回路１０２は、タップ数指定信号７によりタップ数＝ｐの命令を受けたとき、ｍ番目のタップ係数２−ｍをセンタータップとする。ここで、ｐは１以上ｎ以下の整数であり、ｍはｍ＝ｃｅｉｌｉｎｇ（（ｐ＋１）／２）を満たす整数である。ｃｅｉｌｉｎｇ（ｘ）は天井関数であり、実数ｘに対してｘ以上の最小の整数として定義される関数である。こうして、係数更新回路１０２は、タップ係数２−１，２−２，・・・，２−ｐのみ等化に使用し、タップ係数２−（ｐ＋１），・・・，２−ｎを０にする。
以上の動作により、本実施の形態では、適応等化器の遅延量を最小限に抑えることができるという効果が得られる。
【産業上の利用可能性】
【００３４】
本発明は、トランスバーサル型の適応等化器に適用することができる。
【図面の簡単な説明】
【００３５】
【図１】本発明の第１の実施の形態に係る適応等化器の構成を示すブロック図である。
【図２】本発明の第１の実施の形態において無線通信装置の受信装置側における適応等化器からフレーム同期回路までの構成を示すブロック図である。
【図３】本発明の第１の実施の形態における係数制御回路の動作を示すフローチャートである。
【符号の説明】
【００３６】
１…入力受信信号、１−１〜１−ｎ…受信信号、２−１〜２−ｎ…タップ係数、３−１〜３−ｎ…乗算受信信号、４…等化出力信号、５…受信パイロット信号、６…誤差信号、７…タップ数指定信号、２０…パイロット信号検出情報、１００…フィルタリング回路、１０１−１〜１０１−ｎ…遅延素子、１０２…係数更新回路、１０３…係数制御回路、１０４…パイロット信号検出回路、１０５−１〜１０５−ｎ…乗算器、１０６…加算器、２０１…適応等化器、２０２…デマッピング回路、２０３…フレーム同期回路。
【図１】
2010118817.tif 000003
【図２】
2010118817.tif 000004
【図３】
2010118817.tif 000005